(57)【要約】【課題】マトリクスコンバータの入出力に大きなエネルギーが発生してもマトリクスコンバータを過電圧から保護し、入出力に発生するエネルギーの大小に応じた適正な外形寸法及びコストが維持できるマトリクスコンバータ装置及びマトリクスコンバータ装置の保護装置を提供する。    【解決手段】マトリクスコンバータ装置６に、スナバ回路４の２個の全波整流器４１及び４２の共通の直流側に接続された接続端子６１を設ける。マトリクスコンバータ２の入出力に大きなエネルギーが発生し、整流スナバ回路４で充分吸収できない場合は、保護装置７を接続端子６１に付加する。保護装置７の接続端子７１は保護装置７内の放電回路７５に接続されている。【選択図】図１
2007221844.tif 000002
【特許請求の範囲】
【請求項１】
双方向半導体スイッチで三相交流電源と負荷とを直接接続し、前記負荷に可変周波数の電源を供給するマトリクスコンバータと、前記マトリクスコンバータの過電圧を抑制する整流スナバ回路とを備え、
前記整流スナバ回路は、前記マトリクスコンバータの電源側に並列接続された全波整流器と、前記マトリクスコンバータの負荷側に並列接続された全波整流器と、前記２個の全波整流器の直流側を並列に接続し、その共通の直流側に接続されたコンデンサと、前記直流側の電圧を検出する電圧検出回路と、前記直流側に並列接続され前記コンデンサの放電回路を形成する半導体スイッチ及び抵抗からなる放電回路と、前記直流側の電圧が所定の第１レベルの電圧を超えた場合前記半導体スイッチを駆動するゲートドライバとを備えたマトリクスコンバータ装置において、
前記マトリクスコンバータ装置は、前記直流側に並列接続され前記コンデンサの放電回路を形成する保護装置に接続する接続端子を備えたことを特徴とするマトリクスコンバータ装置。
【請求項２】
双方向半導体スイッチで三相交流電源と負荷とを直接接続し、前記負荷に可変周波数の電源を供給するマトリクスコンバータと、前記マトリクスコンバータの過電圧を抑制する整流スナバ回路とを備え、
前記整流スナバ回路は、前記マトリクスコンバータの電源側に並列接続された全波整流器と、前記マトリクスコンバータの負荷側に並列接続された全波整流器と、前記２個の全波整流器の直流側を並列に接続し、その共通の直流側に接続されたコンデンサと、前記直流側の電圧を検出する電圧検出回路と、前記直流側に並列接続され前記コンデンサの放電回路を形成する半導体スイッチ及び抵抗からなる放電回路と、前記直流側の電圧が所定の第１レベルの電圧を超えた場合前記半導体スイッチを駆動するゲートドライバとを備えたマトリクスコンバータ装置の保護装置であって、
前記保護装置は、前記直流側の電圧を検出する電圧検出回路と、半導体スイッチ及び抵抗で構成された放電回路と、前記直流側の電圧が前記第１レベルの電圧と異なる所定の電圧である第２レベルの電圧を超えたとき、前記半導体スイッチを駆動するゲートドライバと、前記放電回路を前記直流側に並列接続する接続端子と、を備えたことを特徴とするマトリクスコンバータ装置の保護装置。
【請求項３】
前記保護装置は、前記第２レベルの電圧を任意に設定できる設定機能を備えたことを特徴とする請求項２記載のマトリクスコンバータ装置の保護装置。
【発明の詳細な説明】
【技術分野】
【０００１】
本発明は、一定周波数の三相交流電源から任意の周波数の交流電源を直接生成するマトリクスコンバータ（ＰＷＭサイクロコンバータ）装置に関し、特に過電圧保護機能を備えたマトリクスコンバータ装置及びその保護装置に関する。
【背景技術】
【０００２】
従来、一定周波数の三相交流電源から任意の周波数の交流電源を直接生成するマトリクスコンバータ装置に関し、マトリクスコンバータの端子間に発生する過電圧を防止する整流スナバ回路を備えたマトリクスコンバータ装置が開示されている（例えば特許文献１参照）。
周知のように、マトリクスコンバータは、電源電圧の最大電圧と最小電圧とに着目して各相に接続された図示しない双方向スイッチを選択し、ＰＷＭ制御により入力の交流電圧を所望の大きさ、周波数を有する交流電圧に直接変換して出力するものである。
【０００３】
図４は、従来のマトリクスコンバータ装置の構成図である。
図４において、１は三相交流電源、２はマトリクスコンバータ、３はマトリクスコンバータ２で発生したキャリア周波数分のパルス電流を低減するためのフィルタ、４はマトリクスコンバータの入出力に発生する過電圧を抑制する整流スナバ回路で、整流スナバ回路４は、電源側の全波整流器４１、負荷側の全波整流器４２、前記２個の全波整流器の整流側である直流側が並列に接続され、その共通の直流側に接続されたコンデンサ４３、前記直流側の電圧を検出する電圧検出回路４４、前記直流側に並列に接続されコンデンサ４３の放電回路を形成する半導体スイッチ４５１および抵抗器４５２からなる放電回路４５、前記直流側の電圧が所定の電圧を超えたとき半導体スイッチ４５１を駆動するゲートドライバ４６から構成されている。また、５はモータ等の誘導性負荷である。
【０００４】
次に、整流スナバ回路の動作について説明する。
図４において、運転中にマトリクスコンバータ２を遮断した時にはマトリクスコンバータ２内部の双方向スイッチは通常全てオフとなる。この時に、モータ５の巻線にはインダクタンスによるエネルギーがあり、そのエネルギーにより、モータ端子、すなわちマトリクスコンバータ２の負荷側端子間に電圧が発生する。発生した電圧は整流回路４２を通じて整流され、コンデンサ４３を充電することにより直流電圧の上昇が抑制され、過電圧を防止している。また、発生したエネルギーが大きく、この直流電圧がさらに上昇した場合には、電圧検出回路４４でそれを検出し、直流電圧が所定の電圧を超えた場合、ゲートドライバ４６は半導体スイッチ４５１をオンしてエネルギーを消費することにより、過電圧を防止している。
【０００５】
なお、マトリクスコンバータ２の電源側に接続された整流回路４１は、電源側の配線インダクタンスにより発生するサージ電圧から双方向スイッチ（図示せず）を保護するためのもので、配線インダクタンスに蓄えられたエネルギーは整流回路４１を介してコンデンサ４３により吸収される。
【特許文献１】特開２０００−１３９０７６号公報
【発明の開示】
【発明が解決しようとする課題】
【０００６】
しかしながら、従来の整流スナバ回路は、マトリクスコンバータの負荷側に接続されるモータ等の誘導負荷のインダクタンスや電源側の配線インダクタンスに蓄えられたエネルギーが大きい場合、遮断時に整流スナバ回路で充分に吸収できず、マトリクスコンバータに過電圧が発生し、双方向スイッチが破壊するという問題があった。また、このような状況に対しても過電圧が発生しないように整流スナバ回路のコンデンサや放電抵抗を選定すると、発生するエネルギーがあまり大きくない場合、整流スナバ回路は過剰な能力を備えることになり、マトリクスコンバータ装置のコストパーフォーマンスが低下し、また、形状も大きくなる問題が発生した。
【０００７】
また、電源のインピーダンスが大きい場合、モータの回生エネルギーによって、マトリクスコンバータの電圧が上昇し、頻繁に加減速を繰り返す場合は、整流スナバ回路の放電回路が頻繁に動作し、放電抵抗が過熱するという問題があった。
本発明はこのような問題点に鑑みてなされたものであり、マトリクスコンバータの電源側又は負荷側に大きなエネルギーが発生してもマトリクスコンバータを過電圧から保護し、入出力に発生するエネルギーの大小に応じた適正な外形寸法及びコストが維持できるマトリクスコンバータ装置及びその保護装置を提供することを目的とする。
【課題を解決するための手段】
【０００８】
上記問題を解決するため、本発明は、次のように構成したものである。
請求項１に記載の発明は、双方向半導体スイッチで三相交流電源と負荷とを直接接続し、前記負荷に可変周波数の電源を供給するマトリクスコンバータと、前記マトリクスコンバータの過電圧を抑制する整流スナバ回路とを備え、前記整流スナバ回路は、前記マトリクスコンバータの電源側に並列接続された全波整流器と、前記マトリクスコンバータの負荷側に並列接続された全波整流器と、前記２個の全波整流器の直流側を並列に接続し、その共通の直流側に接続されたコンデンサと、前記直流側の電圧を検出する電圧検出回路と、前記直流側に並列接続され前記コンデンサの放電回路を形成する半導体スイッチ及び抵抗からなる放電回路と、前記直流側の電圧が所定の第１レベルの電圧を超えた場合前記半導体スイッチを駆動するゲートドライバとを備えたマトリクスコンバータ装置において、前記マトリクスコンバータ装置は、前記直流側に並列接続され前記コンデンサの放電回路を形成する保護装置に接続する接続端子を備えたことを特徴としている。
また、請求項２に記載の発明は、双方向半導体スイッチで三相交流電源と負荷とを直接接続し、前記負荷に可変周波数の電源を供給するマトリクスコンバータと、前記マトリクスコンバータの過電圧を抑制する整流スナバ回路とを備え、前記整流スナバ回路は、前記マトリクスコンバータの電源側に並列接続された全波整流器と、前記マトリクスコンバータの負荷側に並列接続された全波整流器と、前記２個の全波整流器の直流側を並列に接続し、その共通の直流側に接続されたコンデンサと、前記直流側の電圧を検出する電圧検出回路と、前記直流側に並列接続され前記コンデンサの放電回路を形成する半導体スイッチ及び抵抗からなる放電回路と、前記直流側の電圧が所定の第１レベルの電圧を超えた場合前記半導体スイッチを駆動するゲートドライバとを備えたマトリクスコンバータ装置の保護装置であって、前記保護装置は、前記直流側の電圧を検出する電圧検出回路と、半導体スイッチ及び抵抗で構成された放電回路と、前記直流側の電圧が前記第１レベルの電圧と異なる所定の電圧である第２レベルの電圧を超えたとき、前記半導体スイッチを駆動するゲートドライバと、前記放電回路を前記直流側に並列接続する接続端子と、を備えたことを特徴としている。
また、請求項３に記載の発明は、前記保護装置は、前記第２レベルの電圧を任意に設定できる設定機能を備えたことを特徴としている。
【発明の効果】
【０００９】
本発明によると、マトリクスコンバータ装置が、保護装置を接続する接続端子を備えているので、マトリクスコンバータ装置の遮断時に大きいエネルギーが発生する場合、接続端子に保護装置を付加することによって過電圧を抑制できる。従ってマトリクスコンバータ装置の信頼性が向上する。
また、マトリクスコンバータ装置の電源条件、負荷条件、運転条件などの使用条件に応じて、大きいエネルギーが発生するときにのみ付加すればよいので、大きいエネルギーが発生しない場合において余分なコストアップや形状寸法の増加が発生しない。
【発明を実施するための最良の形態】
【００１０】
以下、本発明の実施の形態について図を参照して説明する。
【実施例１】
【００１１】
図1は本発明のマトリクスコンバータ装置の一実施形態を示す構成図であり、図５と同一の構成要素には同一の参照符号を付し、以下では図５と異なる部分を中心に説明する。
図１において、６はマトリクスコンバータ装置を表しており、マトリクスコンバータ装置６は全波整流器４１及び４２の共通の直流側に接続された接続端子６１を備えている。
また、７は保護装置で、保護装置７は接続端子７１を備え、接続端子７１の２つの端子は端子台６１の２つの端子とそれぞれ接続され、さらに、接続端子７１は保護装置７内の放電回路７５に接続されている。
なお、マトリクスコンバータ２の構成及び動作については公知であるのでその説明を省略する。
【００１２】
図２は、保護装置７の詳細な構成を示すブロック図である。
図において、７４は整流スナバ回路の直流電圧を検出する電圧検出回路、７５は半導体スイッチ７５１と放電抵抗７５２が直列接続された放電回路、７６は半導体スイッチ７５１を駆動するゲートドライバである。
【００１３】
次に、保護装置の動作について説明する。
図３は本発明の保護装置の動作を示す模式図である。
図３において、２０１は整流スナバ回路４の放電回路４５の動作レベルである第１レベルを示し、２０２は保護装置７の放電回路７５の動作レベルである第２レベルを示している。
モータ等の誘導負荷が遮断された場合、整流スナバ回路４の直流電圧が上昇する。この直流電圧が第１レベル２０１達すると放電回路４５の半導体スイッチ４５１がオンし、抵抗４５２を通して電流が流れ誘導負荷のもつエネルギーが消費される。しかし、遮断時のエネルギーが大きく整流スナバ回路で充分に消費できない場合、図３に示すようにさらに直流電圧が上昇する。
この直流電圧は保護装置７の電圧検出回路７４で検出される。保護装置７の放電回路７５の動作レベルである第２レベルは第１レベル２０１よりわずかに高く設定してあり、第２レベル２０２に達するとゲートドライバ７６は半導体スイッチ７５１を駆動する。これによって、抵抗７５２を通して電流が流れ直流電圧の上昇が抑えられる。
【００１４】
また、電源のインピーダンスが大きい場合、モータの回生エネルギーで電源が上昇する場合がある。このような電源条件で頻繁に加減速が行うと整流スナバ回路の放電回路が頻繁に動作し、放電抵抗が過熱するという問題が発生する。
しかし、保護装置７の放電回路７５に回生エネルギーによる電圧上昇を抑制できる適正なエネルギー消費能力を持たせ、第２レベルを第１レベル２０１より低く設定すれば、これによって、放電回路７５で回生エネルギーを吸収し、整流スナバ回路４の放電抵抗４５２の過熱を抑えることができる。
【図面の簡単な説明】
【００１５】
【図１】本発明のマトリクスコンバータ装置の一実施形態を示す構成図
【図２】本発明の保護装置の詳細な構成を示すブロック図
【図３】本発明の保護装置の動作を示す模式図
【図４】従来のマトリクスコンバータ装置の構成図
【符号の説明】
【００１６】
１  三相交流電源
２  マトリクスコンバータ
３  フィルタ
４  整流スナバ回路
４１、４２  全波整流回路
４３  コンデンサ
４４、７４  電圧検出回路
４５、７５  放電回路
４５１、７５１  半導体スイッチ
４５２、７５２  抵抗
４６、７６  ゲートドライバ
５  誘導負荷（モータ）
６  マトリクスコンバータ装置
６１、７１  接続端子
７  保護装置
【図１】
2007221844.tif 000003
【図２】
2007221844.tif 000004
【図３】
2007221844.tif 000005
【図４】
2007221844.tif 000006